(57)【要約】本発明の方法及び装置により、第１或いはデフォルトの無線ネットワーク制御局ノード（２６1）に最初に接続したフェムト無線基地局（２８f）が、フェムト無線基地局（２８f）に対するアクティブ無線ネットワーク制御局ノードとして使用する第２或いは正しい無線ネットワーク制御局ノード（２０２）にリダイレクト／再接続されることが可能になる。リダイレクション／再接続は、フェムト無線基地局（２８f）と無線通信中のユーザ機器ユニット（３０）から取得した位置表示情報を使用することにより達成される。リダイレクション技術は、フェムト無線基地局（２８f）が無線アクセスネットワーク（２４）（ＲＡＮ）の環境を確かめる受信部を持たないとき特に有用である。
2009510970.tif 000002
【特許請求の範囲】
【請求項１】
無線アクセスネットワークを動作させる方法であって、
フェムト無線基地局（２８f-new）を前記無線アクセスネットワーク（２４）の第１の無線ネットワーク制御局ノード（２６1）に接続する工程と、
前記フェムト無線基地局（２８f-new）から、前記フェムト無線基地局と通信中のユーザ機器ユニット（３０）から取得された情報を前記第１の無線ネットワーク制御局ノード（２６1）に提供する工程と、
前記フェムト無線基地局（２８f-new）に対するアクティブ無線ネットワーク制御局ノードとして、第１の無線ネットワーク制御局ノード（２６1）を置換するための第２の無線ネットワーク制御局ノード（２６2）を決定するために前記ユーザ機器ユニット（３０）から取得された前記情報を用いる工程とを有することを特徴とする方法。
【請求項２】
前記アクティブ無線ネットワーク制御局ノードとして、前記第１の無線ネットワーク制御局ノード（２６1）でなく前記第２の無線ネットワーク制御局ノード（２６2）を利用するように前記フェムト無線基地局（２８f-new）に指示する工程をさらに有することを特徴とする請求項１に記載の方法。
【請求項３】
前記第１の無線ネットワーク制御局ノード（２６1）は、デフォルト無線ネットワーク制御局ノードであり、
前記第１の無線ネットワーク制御局ノード（２６1）に接続するように前記フェムト無線基地局（２８f-new）を前もって構成する工程をさらに有することを特徴とする請求項１に記載の方法。
【請求項４】
前記ユーザ機器ユニット（３０）から取得され、前記フェムト無線基地局（２８f-new）により前記第１の無線ネットワーク制御局ノード（２６1）に提供される前記情報は、
（１）前記ユーザ機器ユニット（３０）が前記フェムト無線基地局（２８f-new）のセルに入り、前記ユーザ機器ユニット（３０）がロケーションエリア更新を実行するとき、前記ユーザ機器ユニット（３０）から取得されるロケーションエリアアイデンティティ（ＬＡＩ）と、
（２）前記ユーザ機器ユニット（３０）が前記フェムト無線基地局（２８f-new）のセルに入り、前記ユーザ機器ユニット（３０）がルーティングエリア更新を実行するとき、前記ユーザ機器ユニット（３０）から取得されるルーティングエリアアイデンティティ（ＲＡＩ）との内の１つであることを特徴とする請求項１に記載の方法。
【請求項５】
前記第１の無線ネットワーク制御局ノード（２６1）が、前記ユーザ機器ユニット（３０）が指定された周波数で少なくとも１つのセルを検出できるように、前記ユーザ機器ユニット（３０）を構成する工程と、
前記指定された周波数で少なくとも１つのセルを検出する前記ユーザ機器ユニット（３０）を用いる工程と、
前記少なくとも１つの検出したセルに関するセル識別情報を、前記フェムト無線基地局（２８f-new）と通信中の前記ユーザ機器ユニット（３０）から取得された前記情報として、前記第１の無線ネットワーク制御局ノード（２６1）に提供する工程とをさらに有し、
前記指定された周波数は、前記フェムト無線基地局（２８f-new）とマクロ無線基地局の両方が使用している周波数であることを特徴とする請求項１に記載の方法。
【請求項６】
前記第１の無線ネットワーク制御局ノード（２６1）は、前記ユーザ機器ユニット（３０）が、少なくとも１つのセルを検出するために異なる周波数で動作することを可能とするように前記ユーザ機器ユニット（３０）を構成する工程と、
前記少なくとも１つのセルを検出するユーザ機器ユニット（３０）を用いる工程と、
前記少なくとも１つの検出されたセルについてのセル識別情報を、前記フェムト無線基地局（２８f-new）と通信中の前記ユーザ機器ユニット（３０）から取得された前記情報として、前記第１の無線ネットワーク制御局ノード（２６1）に提供する工程とをさらに有することを特徴とする請求項１に記載の方法。
【請求項７】
前記ユーザ機器ユニット（３０）が異なる周波数で動作することを可能とするように前記ユーザ機器ユニット（３０）を構成する工程は、前記ユーザ機器ユニット（３０）に対するモニタセットの試行錯誤による変更を行うことを特徴とする請求項６に記載の方法。
【請求項８】
前記第１の無線ネットワーク制御局ノード（２６1）が、前記ユーザ機器ユニット（３０）が第１のロケーション計画に従って動作するように指示する工程と、
前記第１のロケーション計画が前記フェムト無線基地局（２８f-new）の位置を突き止めるのに十分な情報を供給できない場合、前記第１の無線ネットワーク制御局ノード（２６1）は、前記ユーザ機器ユニット（３０）に第２のロケーション計画方策に従って動作するように指示する工程とをさらに有することを特徴とする請求項１に記載の方法。
【請求項９】
前記第１のロケーション計画は、
前記第１の無線ネットワーク制御局ノード（２６1）が、前記ユーザ機器ユニット（３０）が指定された周波数で少なくとも１つのセルを検出できるように、前記ユーザ機器ユニット（３０）を構成することを含み、
前記第２のロケーション計画は、
前記第１の無線ネットワーク制御局ノード（２６1）が、前記ユーザ機器ユニット（３０）が、少なくとも１つのセルを検出するために異なる周波数で動作することを可能とするように前記ユーザ機器ユニット（３０）を構成することを含むことを特徴とする請求項８に記載の方法。
【請求項１０】
前記異なる周波数は、周波数の異なるセルの周波数と、無線アクセス技術（ＲＡＴ）の異なるセルの周波数の両方、或いは、いずれか１つを含むことを特徴とする請求項９に記載の方法。
【請求項１１】
無線アクセスネットワーク（２４）の第１の無線ネットワーク制御局ノード（２６1）に接続され、その後、通信中のユーザ機器ユニット（３０）から取得した位置表示情報を前記第１の無線ネットワーク制御局ノード（２６1）に提供するように構成されたフェムト無線基地局（２８f-new）であって、
その後、さらに前記位置表示情報に基づいたリダイレクション情報の受信時に、前記フェムト無線基地局（２８f-new）に対するアクティブ無線ネットワーク制御局ノードとして、前記第１の無線ネットワーク制御局ノード（２６1）を第２の無線ネットワーク制御局（２６2）で置換するように構成されることを特徴とするフェムト無線基地局。
【請求項１２】
前記第１の無線ネットワーク制御局ノード（２６1）は、デフォルト無線ネットワーク制御局ノードであり、
前記フェムト無線基地局（２８f-new）は、前記第１の無線ネットワーク制御局ノード（２６1）に接続するように前もって構成されることを特徴とする請求項１１に記載のフェムト無線基地局。
【請求項１３】
前記ユーザ機器ユニット（３０）から取得され、前記フェムト無線基地局（２８f-new）を介して前記第１の無線ネットワーク制御局ノード（２６1）に提供される前記位置表示情報は、
（１）前記ユーザ機器ユニット（３０）が前記フェムト無線基地局（２８f-new）のセルに入り、前記ユーザ機器ユニット（３０）がロケーションエリア更新を実行するとき、前記ユーザ機器ユニット（３０）から取得されるロケーションエリアアイデンティティ（ＬＡＩ）と、
（２）前記ユーザ機器ユニット（３０）が前記フェムト無線基地局（２８f-new）のセルに入り、前記ユーザ機器ユニット（３０）がルーティングエリア更新を実行するとき、前記ユーザ機器ユニット（３０）から取得されるルーティングエリアアイデンティティ（ＲＡＩ）との内の１つであることを特徴とする請求項１１に記載のフェムト無線基地局。
【請求項１４】
前記ユーザ機器ユニット（３０）から取得された前記位置表示情報は、前記ユーザ機器ユニット（３０）によって検出されたセル識別情報であることを特徴とする請求項１１に記載のフェムト無線基地局。
【請求項１５】
無線アクセスネットワーク（２４）の無線ネットワーク制御局ノードであって、
前記無線ネットワーク制御局ノードは、フェムト無線基地局（２８f-new）と通信中のユーザ機器ユニット（３０）から取得した位置表示情報を使用し、前記フェムト無線基地局（２８f-new）がそのアクティブ無線ネットワーク制御局ノードとして、他のどの無線ネットワーク制御局ノードを使用すべきかを決定するように構成されることを特徴とする無線ネットワーク制御局ノード。
【請求項１６】
前記無線ネットワーク制御局ノードは、前記アクティブ無線ネットワーク制御局ノードとして第２の無線ネットワーク制御局ノード（２６2）を利用するように前記フェムト無線基地局（２８f-new）に指示するよう構成されることを特徴とする請求項１５に記載の無線ネットワーク制御局ノード。
【請求項１７】
前記ユーザ機器ユニット（３０）から取得され、前記フェムト無線基地局（２８f-new）により前記無線ネットワーク制御局ノードに提供される前記情報は、
（１）前記ユーザ機器ユニット（３０）が前記フェムト無線基地局（２８f-new）のセルに入り、前記ユーザ機器ユニット（３０）がロケーションエリア更新を実行するとき、前記ユーザ機器ユニット（３０）から取得されるロケーションエリアアイデンティティ（ＬＡＩ）と、
（２）前記ユーザ機器ユニット（３０）が前記フェムト無線基地局（２８f-new）のセルに入り、前記ユーザ機器ユニット（３０）がルーティングエリア更新を実行するとき、前記ユーザ機器ユニット（３０）から取得されるルーティングエリアアイデンティティ（ＲＡＩ）との内の１つであることを特徴とする請求項１５に記載の無線ネットワーク制御局ノード。
【請求項１８】
前記第１の無線ネットワーク制御局ノード（２６1）は、少なくとも１つのセルを検出するよう前記ユーザ機器ユニット（３０）に指示するようにさらに構成され、
前記フェムト無線基地局（２８f-new）と通信中の前記ユーザ機器ユニット（３０）から取得された前記位置表示情報は、前記少なくとも１つのセルについてのセル識別情報を含むことを特徴とする請求項１５に記載の無線ネットワーク制御局ノード。
【請求項１９】
前記第１の無線ネットワーク制御局ノード（２６1）が、指定された周波数で少なくとも１つのセルを検出するよう前記ユーザ機器ユニット（３０）に指示するようにさらに構成され、
前記指定された周波数は、前記フェムト無線基地局（２８f-new）とマクロ無線基地局の両方により使用される周波数であり、
前記フェムト無線基地局（２８f-new）と通信中の前記ユーザ機器ユニット（３０）から取得された前記位置表示情報は、前記少なくとも１つの検出されたセルについてのセル識別情報を含むことを特徴とする請求項１５に記載の無線ネットワーク制御局ノード。
【請求項２０】
前記第１の無線ネットワーク制御局ノード（２６1）は、異なる周波数で動作することにより少なくとも１つのセルを検出するよう前記ユーザ機器ユニット（３０）に指示するようにさらに構成され、
前記フェムト無線基地局（２８f-new）と通信中の前記ユーザ機器ユニット（３０）から取得された前記位置表示情報は、前記少なくとも１つの検出されたセルについてのセル識別情報を含むことを特徴とする請求項１５に記載の無線ネットワーク制御局ノード。
【請求項２１】
前記第１の無線ネットワーク制御局ノード（２６1）は、前記ユーザ機器ユニット（３０）が、前記ユーザ機器ユニット（３０）に対するモニタセットの変更のために試行錯誤によるアプローチで動作することを可能にさせるよう構成されていることを特徴とする請求項２０に記載の無線ネットワーク制御局ノード。
【請求項２２】
前記第１の無線ネットワーク制御局ノード（２６1）は、第１のロケーション計画に従って動作するように前記ユーザ機器ユニット（３０）に指示するように構成され、
前記第１のロケーション計画が前記フェムト無線基地局（２８f-new）の位置を突き止めるのに十分な情報を供給できない場合、前記第１の無線ネットワーク制御局ノード（２６1）は、前記ユーザ機器ユニット（３０）に第２のロケーション計画に従って動作するよう指示するようさらに構成されることを特徴とする請求項１５に記載の無線ネットワーク制御局ノード。
【請求項２３】
前記第１のロケーション計画は、
前記第１の無線ネットワーク制御局ノード（２６1）が、前記ユーザ機器ユニット（３０）が指定された周波数で少なくとも１つのセルを検出できるように、前記ユーザ機器ユニット（３０）を構成することを含み、
前記第２のロケーション計画は、
前記第１の無線ネットワーク制御局ノード（２６1）が、前記ユーザ機器ユニット（３０）が、少なくとも１つのセルを検出するために異なる周波数で動作することを可能とするように前記ユーザ機器ユニット（３０）を構成することを含むことを特徴とする請求項２２に記載の無線ネットワーク制御局ノード。
【請求項２４】
前記異なる周波数は、周波数の異なるセルの周波数と、無線アクセス技術（ＲＡＴ）の異なるセルの周波数の両方、或いは、いずれか１つを含むことを特徴とする請求項２３に記載の無線ネットワーク制御局ノード。
【発明の詳細な説明】
【技術分野】
【０００１】
本発明は無線通信に関し、特に、無線アクセスネットワーク（ＲＡＮ）のフェムト無線基地局の動作に関するものである。
【背景技術】
【０００２】
通常のセルラ無線システムでは、無線ユーザ機器ユニット（ＵＥ）は無線アクセスネットワーク（ＲＡＮ）を介して１つ以上のコアネットワークと通信する。ユーザ機器ユニット（ＵＥ）は、移動体電話（“セルラ”電話）や移動体端末付きのラップトップ等の移動局であってもよく、従って、無線アクセスネットワークと、音声とデータの内の少なくともいずれかで通信する、例えば、携帯型、ポケット型、ハンドヘルド型、コンピュータ内蔵型、または車載型の移動体装置であってもよい。あるいは、無線ユーザ機器ユニットは固定無線装置、例えば、無線ローカルループ等の一部である固定セルラ装置／端末であってもよい。
【０００３】
無線アクセスネットワーク（ＲＡＮ）はセル領域へと分割されるある地理的領域をカバーし、各セル領域は基地局によってサービスされる。セルは基地局サイトの無線基地局装置によって無線カバレッジを提供される地理的領域である。各セルは一意のアイデンティティによって識別され、それはそのセルで同報される。基地局はエアインタフェースを介して基地局の範囲内のユーザ機器ユニット（ＵＥ）と通信する。無線アクセスネットワークでは通常、幾つかの基地局が無線ネットワーク制御局（ＲＮＣ）に（地上の通信線またはマイクロ波により）接続される。時には基地局制御局（ＢＳＣ）と称することもある無線ネットワーク制御局は、そこに接続された複数の基地局の種々のアクティビティを管理し調整する。無線ネットワーク制御局は通常１つ以上のコアネットワークに接続される。コアネットワークは２つのサービスドメインを持っており、ＲＮＣはこれらドメインの両方とのインタフェースを有する。
【０００４】
無線アクセスネットワークの１つの例は、全球規模の移動体通信（ＵＭＴＳ）の地上無線アクセスネットワーク（ＵＴＲＡＮ）である。ＵＭＴＳは、ある観点では、ＧＳＭ（Global System for Mobile communications）として知られるヨーロッパで開発された無線アクセス技術の上に構築された第３世代のシステムである。ＵＴＲＡＮは本質的には、ユーザ機器ユニット（ＵＥ）に対して広帯域コード分割多元接続（ＷＣＤＭＡ）を提供する無線アクセスネットワークである。第３世代パートナシッププロジェクト（３ＧＰＰ）が、ＵＴＲＡＮとＧＳＭベースの無線アクセスネットワーク技術をさらに進展させる任務を担っている。
【０００５】
当業者には理解できようが、ＷＣＤＭＡ技術では、共有周波数帯域により、ユーザ機器ユニットと複数の基地局との間の同時的な通信が可能である。共有周波数帯域を占める信号は、受信局において、高速の擬似雑音（ＰＮ）符号の使用に基づく拡散スペクトルＣＤＭＡ波形特性を通して判別される。これらの高速ＰＮ符号は、基地局とユーザ機器ユニット（ＵＥ）から送信される信号の変調に使用される。幾つものＰＮ符号（または時間のオフセットがあるＰＮ符号）を使用する送信局は、受信局で分離して復調できる信号を発生する。また、高速のＰＮ変調により、受信局が、送信信号の幾つかの異なる伝播経路を組み合わせて、１つの送信局からの受信信号を好適に生成できるようにもなる。従って、ＣＤＭＡでは、接続が１つのセルから別のセルへハンドオーバされる際に、ユーザ機器ユニット（ＵＥ）は周波数を切り替える必要が無い。その結果、元々のセルが接続へのサービスを継続するのと同時に、移動先のセルはそのユーザ機器ユニット（ＵＥ）への接続をサポートできる。ユーザ機器ユニット（ＵＥ）は、ハンドオーバ中も少なくとも１つのセルを通して常に通信し続けるので、通話の中断が生じない。このために“ソフトハンドオーバ”という用語がある。ハードハンドオーバとは対照的に、ソフトハンドオーバは“切れる前に繋ぐ（make-before-break）”切り替え動作である。
【０００６】
無線アクセスネットワークを包含するその他のタイプの通信システムには次のものが含まれる。即ち、汎欧州デジタル移動電話方式（ＧＳＭ）、改良型移動体電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）システム、米国デジタルセルラ（ＵＳＤＣ）システム、及びＥＩＡ／ＴＩＡ  ＩＳ−９５に記載のコード分割多元接続（ＣＤＭＡ）システムである。
【０００７】
ＵＴＲＡＮには幾つかの興味深いインタフェースがある。無線ネットワーク制御局（ＲＮＣ）とコアネットワークとの間のインタフェースは“Ｉｕ”インタフェースと呼ばれる。無線ネットワーク制御局（ＲＮＣ）との基地局（ＢＳ）との間のインタフェースは“Ｉｕｂ”インタフェースと呼ばれる。ユーザ機器ユニット（ＵＥ）と基地局との間のインタフェースは“エアインタフェース”、“無線インタフェース”、或いは、“Ｕｕ”インタフェースとして知られる。幾つかの事例では、接続は、ソースおよびサービングＲＮＣ（ＳＲＮＣ）と、ターゲット或いはドリフトＲＮＣ（ＤＲＮＣ）の両方を必要としており、ＳＲＮＣは接続を制御し、一方、その接続の１つ以上のダイバーシティレッグはＤＲＮＣによって扱われる。ＲＮＣ間の伝達リンクは、ソースＲＮＣとドリフト或いはターゲットＲＮＣとの間の制御信号とデータ信号の伝達に使用することができ、これは直接リンクであってもよくまたは論理リンクであってもよい。無線ネットワーク制御局間（例えば、サービングＲＮＣ（ＳＲＮＣ）とドリフトＲＮＣ（ＤＲＮＣ）との間）のインタフェースは“Ｉｕｒ”インタフェースと呼ばれる。
【０００８】
無線ネットワーク制御局（ＲＮＣ）はＵＴＲＡＮを制御する。その制御の役割を果たす際に、ＲＮＣはＵＴＲＡＮの資源を管理する。ＲＮＣが管理する資源は（とりわけ）基地局が送信するダウンリンク（ＤＬ）電力と、基地局が感知するアップリンク（ＵＰ）干渉と、基地局に設置されたハードウェアとを含む。
【０００９】
当業者であれば、ある種のＲＡＮ−ＵＥ接続に関して、ＲＮＣはサービングＲＮＣ（ＳＲＮＣ）の役割を有してもよいし、またドリフトＲＮＣ（ＤＲＮＣ）の役割を有してもよいことを認識する。ＲＮＣがサービングＲＮＣ（ＳＲＮＣ）である場合、ＲＮＣはユーザ機器ユニット（ＵＥ）との接続を担当し、例えば、無線アクセスネットワーク（ＲＡＮ）内の接続を全面的に制御する。サービングＲＮＣ（ＳＮＲＣ）はコアネットワークに接続される。他方、ＲＮＣがドリフトＲＮＣ（ＤＲＮＣ）である場合、それは、ユーザ機器ユニット（ＵＥ）との接続に必要な（ドリフトＲＮＣ（ＤＲＮＣ）によって制御されるセル内の）無線資源を供給することによりサービングＲＮＣ（ＳＲＮＣ）をサポートする。ドリフト無線ネットワーク制御局（ＤＲＮＣ）と、Ｉｕｂインタフェースによりドリフト無線ネットワーク制御局（ＤＲＮＣ）によって制御される基地局とを有するシステムは、ここではＤＲＮＣサブシステムまたはＤＲＮＳと呼ばれる。ＲＮＣは、ＩｕｂインタフェースによってそのＲＮＣに接続する基地局の制御ＲＮＣ（ＣＲＮＣ）と呼ばれる。このＣＲＮＣの役割は、ＵＥに限定されていない。ＣＲＮＣは、とりわけ、ＣＲＮＣにＩｕｂインタフェースにより接続される基地局のセルに関する無線資源管理を扱うことを担当する。
【００１０】
幾つかの通信事業者が、ある環境では、“フェムトＲＢＳ”、“ホームＲＢＳ”、“ピコＲＢＳ”、“マイクロＲＢＳ”の内、少なくともいずれかで呼ばれる小規模な無線基地局（“ＲＢＳ”）を使用して、限られた数のユーザのための家庭または小領域のＷＣＤＭＡカバレッジを提供する可能性について研究している。そのような研究によれば、小規模ＲＢＳは、エンドユーザに（例えば、ユーザ機器ユニット（ＵＥ）に対して）通常のＷＣＤＭＡカバレッジを提供し、ある種のＩＰベース伝送を使用してＲＮＣに接続される。そのようにして提供されるカバレッジ領域は、（そのカバレッジ領域が相対的に小さいことを示すために）“フェムトセル”と呼ばれる。フェムトセルの別の用語には“ピコセル”または“マイクロセル”が含まれ、マクロ即ち標準的な無線基地局（ＲＢＳ）がカバーするマクロセルと対照をなしている。
【００１１】
ＩＰベース伝送の１つの案は、（ｘＤＳＬ、ケーブル等のような）固定広帯域アクセスを使用してホームＲＢＳをＲＮＣに接続することである。もう１つの案は、無線広帯域アクセス（例えば、ＨＳＤＰＡと拡張アップリンク）を使用することであろう。図１２は、それら２つの異なるバックホール（backhaul）の案をより詳細に示す。第１の案は“ｘＤＳＬバックホール”とラベルが付され、第２の案は“ＷｉＭＡＸバックホール”とラベルが付されている。
【００１２】
一般に、普通のＷＣＤＭＡ基地局（マクロＲＢＳ）は、ＩＰベース伝送を使用してＲＮＣに接続できる。通信事業者の職員、例えば無線アクセスネットワーク（ＲＡＮ）のマクロＲＢＳノードおよびＲＮＣノードを所有または維持する事業会社の従業員は通常、マクロＲＢＳノードをインストールする。そのインストールの一部として、マクロＲＢＳは、マクロＲＮＣが接続するＲＮＣのＩＰアドレス指定情報（ＤＮＳ名、完全修飾ドメイン名（ＦＱＤＮ）、またはＩＰアドレス）を使用して、人手により設定される。
【００１３】
これとは対照的に、フェムトＲＢＳは通常、ネットワーク通信事業者というよりエンドユーザによってインストールされる。エンドユーザはまた、通信事業者がフェムトＲＢＳの再配置を制御できたりまたは制御しようとしなくても、フェムトＲＢＳを地理的にあちらこちらへと移動させることもできる。そのようなユーザ主導の再配置のためには、どこにフェムトＲＢＳがインストールまたは配置されようとも、フェムトＲＢＳを正しいＲＮＣに接続すべきことが必要である。この意味での“正しいＲＮＣ”または“好ましいＲＮＣ”は、無線アクセスネットワーク（ＲＡＮ）のオーバレイしているマクロセルを制御しているのと同じＲＮＣであろう。
【００１４】
正しいＲＮＣへの接続が重要なのは、例えばフェムトＲＢＳセルとマクロＲＢＳセルとの間のローミングやハンドオーバに必要な隣接セルのリストの作成も改善するからである。さらに、そのことは制御ノード間のネットワークシグナリングも最小にする。
【発明の開示】
【発明が解決しようとする課題】
【００１５】
従って、ＲＢＳをＲＮＣのＩＰアドレス指定情報で手動で設定する現在の技術は、例えばフェムトＲＢＳがエンドユーザによってインストールされるので、フェムトＲＢＳの場合にはうまくゆかない。
【００１６】
それ故に、必要とされていることとここでの目的は、例えばＩＰ接続フェムトＲＢＳなどのフェムトＲＢＳにサービスを行う正しいＲＮＣを選択する方法、技術、装置およびシステムを備えることである。この目的は、例えば、フェムト無線基地局が、例えば自装置の受信部またはユーザ機器ユニットを持たない場合などで、フェムト無線基地局自体に無線アクセスネットワーク環境を認識する能力がないときに特に有用である。
【課題を解決するための手段】
【００１７】
本願の方法及び装置により、最初に第１の無線ネットワーク制御局ノードに接続されたフェムト無線基地局を、そのフェムト無線基地局に対するアクティブ無線ネットワーク制御局として使用する第２の無線ネットワーク制御局にリダイレクト／再接続することを可能にする。そのリダイレクション／再接続は、フェムト無線基地局と無線通信中であるユーザ機器ユニットから取得した位置表示情報を使用することにより達成される。リダイレクション技術は、フェムト無線基地局自体が無線アクセスネットワーク（ＲＡＮ）環境を確かめる受信部を持たないときに特に有用である。
【００１８】
その発明の側面の１つにおいて、この技術は、無線アクセスネットワークを動作する方法に係わる。その方法は、フェムト無線基地局を無線アクセスネットワークの第１の無線ネットワーク制御局ノードに接続する工程を有する。フェムト無線基地局と通信中のユーザ機器ユニットから取得された位置表示情報は、その後、フェムト無線基地局から第１の無線ネットワーク制御局ノードに提供される。次いで、ユーザ機器ユニットから取得された情報は、フェムト無線基地局に対するアクティブ無線ネットワーク制御局ノードとして、第１の無線ネットワーク制御局ノードを置換する第２の無線ネットワーク制御局ノードを決定するために使用される。次いで、フェムト無線基地局は、アクティブ無線ネットワーク制御局ノードとして、第１の無線ネットワーク制御局ノードでなく、第２の無線ネットワーク制御局ノードを利用するように指示される。
【００１９】
一態様の例では、第１の無線ネットワーク制御局ノードはデフォルト無線ネットワーク制御局ノードであり、フェムト無線基地局は、最初に第１の無線ネットワーク制御局ノードに接続するように構成される。
【００２０】
一実施形の例では、ユーザ機器ユニットから取得されフェムト無線基地局から第１の無線ネットワーク制御局ノードに提供される位置表示情報は、（１）ユーザ機器ユニットがフェムト無線基地局のセルに入り、ユーザ機器ユニットがロケーションエリア更新を実行するとき、ユーザ機器ユニットから取得されるロケーションエリアアイデンティティ（ＬＡＩ）と、（２）ユーザ機器ユニットがフェムト無線基地局のセルに入り、ユーザ機器ユニットがルーティングエリア更新を実行するとき、ユーザ機器ユニットから取得されるルーティングエリアアイデンティティ（ＲＡＩ）との内の１つである。
【００２１】
一実施態様の例では、第１の無線ネットワーク制御局ノードは、ユーザ機器ユニットが指定された周波数でセルを検出できるように、ユーザ機器ユニットを構成する（その指定された周波数はフェムト無線基地局とマクロ無線基地局の両方が使用している周波数である）。次いで、ユーザ機器ユニットは、指定された周波数でセルを検出する。検出されたセルに関するセル識別情報（例えば、スクランブリングコードとセル識別子との内、少なくともいずれか）は、フェムト無線基地局と通信中のユーザ機器ユニットから取得された位置表示情報として、第１の無線ネットワーク制御局ノードに提供される。
【００２２】
別の実施態様の例では、第１の無線ネットワーク制御局ノードは、ユーザ機器ユニットが、対応する異なる周波数で動作しているセルで、異なるものであるセルを検出できるように、ユーザ機器ユニットを構成する。次いで、ユーザ機器ユニットは、対応する異なる周波数でセルを検出する。検出したセルに関するセル識別情報は、フェムト無線基地局と通信中のユーザ機器ユニットから取得された位置表示情報として、第１の無線ネットワーク制御局ノードに提供される。この実施態様の例の変形として、ユーザ機器ユニットが異なる周波数で動作することを可能にするようにユーザ機器ユニットを構成することは、そのユーザ機器ユニットに対するモニタセットを変更する試行錯誤的な方法を含む。
【００２３】
別の実施態様の例では、１つ以上のノードリダイレクション動作のステップは、並行的に利用されてもよいし、或いは、順々に利用されてもよい。例えば、この実施態様の例では、第１の無線ネットワーク制御局ノードは、ユーザ機器ユニットに第１のロケーション計画に従って動作するように指示し、第１のロケーション計画がフェムト無線基地局の位置を突き止めるのに十分な情報を供給できない場合、第１の無線ネットワーク制御局ノードは、ユーザ機器ユニットに第２のロケーション計画に従って動作するように指示してもよい。
【００２４】
この技術を別の側面から見ると、この技術は無線アクセスネットワークの第１の無線ネットワーク制御局ノードに接続し、その後フェムト無線基地局と通信中のユーザ機器ユニットから取得した位置表示情報を第１の無線ネットワーク制御局ノードに提供するように構成されたフェムト無線基地局に係わる。そのフェムト無線基地局は、その後位置表示情報に基づいてリダイレクション情報を受信する時、フェムト無線基地局に対するアクティブ無線ネットワーク制御局ノードとして、第１の無線ネットワーク制御局ノードを第２の無線ネットワーク制御局で置換するようにさらに構成される。
【００２５】
この技術をさらに別の側面から見ると、この技術は無線アクセスネットワークの無線ネットワーク制御局ノードに係わる。その無線ネットワーク制御局ノードは、フェムト無線基地局が自分自身のアクティブ無線ネットワーク制御局ノードとして、他のどの無線ネットワーク制御局ノードを使用すべきかを決定するために、フェムト無線基地局と通信中のユーザ機器ユニットから取得した位置表示情報を使用するように構成される。無線ネットワーク制御局ノードは、種々の実施態様の例に従って動作するように構成されてもよい。
【００２６】
本発明の先述した、また他の目的、特徴、および利点は、添付図面に示されるように、好適な実施例についての以下のより具体的な説明から明らかになろう。その図面では、参照文字は、種々の図を通して同じ部分を参照するものとする。図面は必ずしも原寸に対応するものではなく、その代わり、本発明の原理を図示することに重きが置かれている。
【発明を実施するための最良の形態】
【００２７】
以下の記述では、説明の目的でしかし限定は目的とせずに、特定のアーキテクチャ、インタフェース、技術等の具体的な詳細について説明し、本発明の完全な理解に供する。しかしながら、本発明がこれらの具体的な詳細とは異なる別の実施例においても実施可能であることは当業者には明らかであろう。即ち、当業者には、ここでは明確に説明したり図示したりはしていないが、本発明の原理を実施し、またその範囲と精神に含まれる種々の構成を考えることができよう。いくつかの例では、既知の装置、回路、および方法についての詳細な説明は、不必要な詳細でもって本発明の説明が曖昧化することのないよう割愛する。ここにおける、本発明の原理、態様、および実施例ならびにその具体例に言及する全ての説明は、それに等価な構造と機能の両方を包含することが意図されている。さらに、そのような等価物には、現在知られている等価物のみならず将来開発される等価物、例えば、その構造に関わらず同じ機能を実行する開発された任意の要素が含まれることが意図されている。
【００２８】
従って、例えば、ここでのブロック図がこの技術の原理を具体化する例示的な回路を示す概念図を表現できることは、当業者には理解されよう。同様に、フローチャート、状態遷移図、擬似コード等のいずれも、コンピュータ可読媒体中に実質的に表現され、コンピュータまたはプロセッサが明示されているか否かに関わりなく、そのようなコンピュータまたはプロセッサによって実行される種々のプロセスを表現することが認識されよう。
【００２９】
“プロセッサ”または“コントローラ（制御局・装置）”とラベルが付された機能ブロックを含む種々の要素の機能は、専用ハードウェアのみならず適切なソフトウェアと関連付けられたソフトウェアを実行可能なハードウェアの使用により提供されてもよい。プロセッサにより提供される場合、その機能は、単一の専有プロセッサ、単一の共有プロセッサ、または、それらの幾つかが共有または分散化された複数の個別のプロセッサにより提供されてもよい。さらに、用語“プロセッサ”または“コントローラ（制御局・装置）”が明白に使用された場合であっても、ソフトウェアを実行可能なハードウェアのみに言及すると解釈されるべきではなく、デジタル信号処理装置（ＤＳＰ）ハードウェア、ソフトウェアを記憶する読み取り専用メモリ（ＲＯＭ）、ランダムアクセスメモリ（ＲＡＭ）、および非揮発性メモリが含まれてもよく、また、これらに限定されるものでもない。
【００３０】
これに限定するものではないが図１Ａに示される通信システム１０を例にとって本発明について説明する。通信システム１０はコアネットワーク２０に接続される。通信システム１０は無線アクセスネットワーク２４を含む。無線アクセスネットワーク２４は１つ以上の無線ネットワーク制御局ノード（ＲＮＣ）２６と無線基地局（ＢＳ）２８を含む。例として、図１Ａは特に、２つの、即ち、第１の無線ネットワーク制御局２６1と第２の無線ネットワーク制御局２６2とを示しており、また、１つ以上のマクロ無線基地局（図１Ａにはマクロ無線基地局２８M１つだけが示される）と複数のフェムト無線基地局２８f1、２８f2、……２８fxの両方を示している。マクロ無線基地局２８MはマクロセルＣMにサービスする。フェムト無線基地局２８f1、２８f2、……２８fxはそれぞれのフェムトセルＣf1、Ｃf2、……Ｃfxにサービスする。当業者の理解するところでは、無線基地局はそれぞれの無線基地局がサービスするセルの内部（例えば、中央）に設置されるのが普通であるが、説明をわかり易くするために、図１Ａのマクロ無線基地局とフェムト無線基地局はそのようにではなく、双方向矢印によりそれらそれぞれのセルと関連付けて示している。フェムトセルＣf1、Ｃf2、……Ｃfxの少なくとも幾つかは地理的にマクロセルＣMと重なっているか含まれている。
【００３１】
ここで用いられるように、“フェムト無線基地局”はピコ無線基地局またはマイクロ無線基地局の意味も持ち、フェムトセル（もしくはピコセルまたはマイクロセル）にサービスする。フェムトセルは通常１つ以上のマクロセルと重なっており、マクロセルよりも小さ目の地理的領域または加入者顧客層にサービスする。ここで説明する技術は、フェムト無線基地局について特別な利点を持っており、フェムト無線基地局は、無線アクセスネットワークの所有者／通信事業者によってインストールや再配置を制御されることなく、その無線アクセスネットワーク内でインストールしたり、再配置することの内、少なくともいずれかができる。言い換えれば、非ネットワーク通信事業者エンティティ（フェムトの運用者）がフェムト無線基地局を取得でき、フェムトの運用者の嗜好に合わせてフェムト無線基地局を設置することができる。この点に関して、図１Ａは、フェムトの運用者によって最近起動されたそのようなフェムト無線基地局２８f-newを図らずも示している。フェムト無線基地局２８f-newは、そのフェムトセルＣf-newがマクロセルＣMと重なるように、地理的に設置または配置されている。
【００３２】
図１Ａに示されるユーザ機器ユニット（ＵＥ）３０のようなユーザ機器ユニット（ＵＥ）は、１つ以上のセルまたは１つ以上の基地局（ＢＳ）２８と無線またはエアインタフェース３２を介して通信する。ユーザ機器ユニットは、携帯電話（“セルラ”電話）や移動体端末付きのラップトップ等の移動局であってもよく、従って、無線アクセスネットワークと音声とデータとの内、少なくともいずれかを通信する、例えば、携帯型、ポケット型、ハンドヘルド型、コンピュータ内蔵型、または車載型の移動機器であってもよい。
【００３３】
図１Ａに示される無線アクセスネットワーク２４は、そう限定するものではないが、例として、ＵＭＴＳ地上無線アクセスネットワーク（ＵＴＲＡＮ）であってもよい。ＵＴＲＡＮでは、無線アクセスは、個々の無線チャンネルがＣＤＭＡ拡散コードを使用して割り当てられる広帯域コード分割多元接続（ＷＣＤＭＡ）に基づくことが好ましい。勿論、別のアクセス法を使用してもよい。ノード２６および２８は、ＵＴＲＡＮの例であることを考慮すると、それぞれ、無線ネットワーク制御局ノード、無線基地局ノードと呼ばれる。なお、無線ネットワーク制御局と無線基地局という用語はまた、別タイプの無線アクセスネットワークについての同様の機能を持つノードを包含するものと理解されたい。それら別タイプの無線アクセスネットワークを包含する他のタイプの通信システムには次のものが含まれる。即ち、汎欧州デジタル移動電話方式（ＧＳＭ）、改良型移動体電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）システム、米国デジタルセルラ（ＵＳＤＣ）システム、及びＥＩＡ／ＴＩＡ  ＩＳ−９５に記載のコード分割多元接続（ＣＤＭＡ）システムである。
【００３４】
無線アクセスネットワーク２４は、ＵＴＲＡＮではＩｕインタフェースであるようなインタフェースを介してコアネットワーク２０に接続される。図１Ａのコアネットワーク２０はとりわけ、移動体交換センタ（ＭＳＣ）ノード、ゲートウェイＭＳＣ（ＧＭＳＣ）ノード、ゲートウェイ汎用パケット無線サービス（ＧＰＲＳ）サポートノード（ＧＧＳＮ）、及びサービングＧＰＲＳサポートノード（ＳＧＳＮ）を含む。回線交換（ＣＳ）ネットワーク或いはパケット交換（ＰＳ）ネットワークがコアネットワーク２０に接続できる。
【００３５】
単純化のため、図１Ａの無線アクセスネットワーク２４にはＲＮＣノード２６を２つしか示していない。複数の無線ネットワーク制御局ノード（ＲＮＣ）が備えられてもよく、各ＲＮＣ２６は１つ以上の基地局（ＢＳ）２８に接続される。図１Ａに示されたのとは異なる数の基地局が無線ネットワーク制御局ノード２６によりサービスを受けることができ、ＲＮＣは同数の基地局にサービスを行う必要はないことが認識されよう。さらに、ＲＮＣはＩｕｒインタフェースを介して無線アクセスネットワーク２４における１つ以上の別のＲＮＣに接続することができる。このようなＩｕｒインタフェースの一例は図１Ａに示されている。無線ネットワーク制御局ノード（ＲＮＣ）２６はインタフェースＩｕｂを介してマクロ無線基地局２８Mと通信する。さらに、当業者はまた、マクロ無線基地局２８のような基地局はこの技術分野では、無線基地局、ノードＢ、またはＢノードと呼ばれることもあることを認識するであろう。無線インタフェース３２、Ｉｕインタフェース、Ｉｕｒインタフェース、及びＩｕｂインタフェースの各々は、図１Ａでは点線で示されている。
【００３６】
図１Ａは、フェムト無線基地局２８fとＲＮＣノード２６との間に存在する“拡張Ｉｕｂ”インタフェース（“Ｉｕｂ＋”インタフェース）も一点鎖線で示している。Ｉｕｂ＋インタフェースは、多くの点において、普通のＩｕｂインタフェースであるが、フェムトＲＢＳを別のＲＮＣにリダイレクトする拡張がある。拡張したＩｕｂ＋インタフェースは、インターネットプロトコル（ＩＰ）接続によって形成されるのが好ましい。
【００３７】
図１Ａは、無線アクセスネットワーク２４の無線ネットワーク制御局ノード（ＲＮＣ）がＲＮＣ選択データベース４０へのアクセスを有することも示している。リモートユニット４０は、図示のように個別ノードのＲＮＣ選択データベース４０として提供されてもよいし、また（例えば、１つ以上の無線ネットワーク制御局ノード（ＲＮＣ）２６に含まれる）別のＲＡＮノードの付属物であってもよい。代わりに、ある場合には、ＲＮＣ選択データベース４０へのアクセスは、コアネットワーク２０を通してさえ提供されてもよい。図４に描くフォーマット例で示すように、ＲＮＣ選択データベース４０は、１セット以上の位置表示情報と特定の無線ネットワーク制御局ノードを関連付ける情報を格納し、それによって、ＲＮＣ選択データベース４０に格納されたデータの使用によって選択される特定の無線ネットワーク制御局ノードが、無線基地局、特に、どの無線ネットワーク制御局ノードに接続するかまたはリダイレクトされるのか、最適な或いは好ましい無線ネットワーク制御局ノードを探しているフェムト無線基地局２８f-newのようなフェムト無線基地局用のアクティブ無線ネットワーク制御局ノードとして使用されてもよい。図１Ａに示す無線アクセスネットワーク２４では、ＲＮＣ選択データベース４０は、無線ネットワーク制御ノード、特に、第１の無線ネットワーク制御局ノードＲＮＣ２６1および第２の無線ネットワーク制御局ノードＲＮＣ２６2と接続して示されている。
【００３８】
図２は、一般的フェムト無線基地局２８fの例の選択した基本的代表的構成要素を示す。１つ以上のフェムト無線基地局２８f1、２８f2、…、２８fxは、図２に示す一般的フェムト無線基地局２８fの形態を取ってもよい。図２に示すフェムト無線基地局２８fは、その他の示されていない構成ユニットはあるが、Ｉｕｂ＋インタフェースを通じて無線ネットワーク制御局ノード２６に接続するためのインタフェースユニット５０と、１つ以上の無線周波数送受信部５２と、データ処理システム、データ処理セクション若しくはデータ処理部５６とを含むものとして示されている。インタフェース部５０は、多くの点において普通のＩｕｂインタフェース部であるが、フェムトＲＢＳを別のＲＮＣにリダイレクトする拡張機能と、ＲＮＣからフェムトＲＢＳへ他の構成情報の送信を容易にする拡張機能とを有する。無線周波数送受信部５２は、フェムト無線基地局２８fによってサービスされるフェムトセル内のユーザ機器ユニット（ＵＥ）と無線即ちエアインタフェースにより通信を行うためのものである。ＲＮＣ２６とフェムト無線基地局２８fとの間の接続は、例えば、インターネットプロトコル（ＩＰ）ベースの伝送を利用する。
【００３９】
フェムト無線基地局ノードのいくつかはさらに、無線アクセスネットワークの１つ以上の受信可能なセルに関するスキャンしたセル情報同報を受信する受信部も備えるかもしれない。しかし、図１Ａのフェムト無線基地局２８f-newは、このような受信部を有さないかまたは利用しない。それ故、単独で存在すると、フェムト無線基地局２８f-newは、それらのセルに関連したスキャンしたセル情報同報を読み取るために受信可能なセル（ＷＣＤＭＡのマクロセルとフェムトセルの両方を含む）からの信号を一時的に留める（camp on）ことができないか、そうでなければ、そのようなことはしない。それ故、まず起動したか、或い新しい場所（例えば、新しいマクロセル）にまず移動したとき、助けのないフェムト無線基地局２８f-newは、無線アクセスネットワーク２４内のその位置がわからず、それ故そのアクティブ無線ネットワーク制御局ノードとして接続すべき最適な無線ネットワーク制御局ノード（ＲＮＣ）を決定できない。しかし、ここで説明するように、フェムト無線基地局２８f-newは、フェムト無線基地局と無線通信中のユーザ機器ユニットから得られる位置表示情報を取得するかまたは確かめ、インタフェースＩｕｂ＋を通じて無線アクセスネットワークにそのような位置表示情報を報告するように構成される。この目的のために、フェムト無線基地局２８は、オプションで報告ユニット６０も有する。図２に示す実施形では、報告ユニット６０は、データ処理システム５６を備えるかまたはそれに含まれてもよく、そのためコントローラまたはプロセッサの一部でもよい。報告ユニット６０は、例えば、ユーザ機器ユニットから取得した位置表示情報を無線アクセスネットワーク２４に提供するなどのサービスを実行して、無線アクセスネットワーク２４が、フェムト無線基地局２８f-newはどの無線ネットワーク制御局ノード（ＲＮＣ）に接続されるべきかを、（例えば、ＲＮＣ選択データベース４０を使用して）決定できるようにする。報告ユニット６０は、例えば、位置表示情報がユーザ機器ユニットから無線アクセスネットワーク２４に報告されてもよいという意味では、オプションでもよい。
【００４０】
図３は無線ネットワーク制御ノード２６の例の選択した基本的代表的構成要素を示す。無線ネットワーク制御ノード２６は、Ｉｕインタフェースを通じて無線ネットワーク制御局ノード２６をコアネットワーク２０に接続するためのインタフェースユニット７０、Ｉｕｒインタフェースを通じて無線ネットワーク制御局ノード２６を他の（不図示の）無線ネットワーク制御局に接続するためのインタフェースユニット７２、Ｉｕｂインタフェースを通じて無線ネットワーク制御ノード２６をそれぞれ１つ以上のマクロ無線基地局２８Mに接続するための１つ以上のインタフェースユニット７４、および拡張Ｉｕｂ（“Ｉｕｂ＋”）インタフェースを通じて無線ネットワーク制御ノード２６を１つ以上のフェムト無線基地局２８f1、２８f2、…、２８fxそれぞれに接続するための１つ以上のインタフェースユニット７６などのいくつかのインタフェースユニットを備えてもよい。ＲＮＣ２６とフェムト無線基地局２８mとの接続は、例えば、インターネットプロトコル（ＩＰ）ベースの伝送を利用してもよい。ＲＮＣ２６とマクロ無線基地局２８Mとの接続は、例えば、インターネットプロトコル（ＩＰ）ベースの伝送とＡＴＭベースの伝送との内、少なくともいずれかを利用することができる。
【００４１】
インタフェースユニットに加えて、無線ネットワーク制御ノード２６は、データ処理システム、データ処理セクション若しくはデータ処理部８０のみならず、多数の図に示されていない構成要素を備える。図３に示すように、非限定的な実施形の例では、無線ネットワーク制御ノード２６のデータ処理システム８０は、制御セクション（例えば、コントローラ８２）、ハンドオーバユニット８４、コンバイナ及びスプリッタユニット８６（例えば接続のダイバーシティレッグの扱いなどに関与）、およびフェムト無線基地局ハンドラ８８を備える。フェムト無線基地局ハンドラ８８は、ＲＮＣ選択データベース４０用のサーチャインタフェース９０を有する。
【００４２】
図１Ａ〜図１Ｅは図５とともに、第１の態様例に従ったノードリダイレクション動作に関する種々の動作段階の例を示す。図１Ａに示す時点では、フェムト無線基地局２８f-newは、フェムト運用者またはエンドユーザによって起動されているが、これまで説明したように、無線アクセスネットワーク２４の環境でのその特定の位置をまだ知らない。その位置がわからないので、フェムト無線基地局２８f-newは、フェムト無線基地局２８f-newのアクティブ無線ネットワーク制御局としての役目を果たすためにどの無線ネットワーク制御局ノード２６が最適の位置（地理的または他の点で）にあるかを知らない。無線アクセスネットワーク２４内の自装置の状況を知らないという点からすれば、フェムト無線基地局２８f-newは、起動時またはスタートアップ時、Ｉｕｂ＋インタフェースを通じてデフォルト無線ネットワーク制御局ノードに接続するように構成される。図１Ａに示す特定の例では、デフォルト無線ネットワーク制御局ノードは、たまたま第１の無線ネットワーク制御局２６1である。図１Ａと図５のイベントのステップＳ−１Ａは、フェムト無線基地局２８f-newがそのデフォルト即ち第１の無線ネットワーク制御局２６1に接続することを示している。
【００４３】
フェムト無線基地局２８f-newなどのフェムト無線基地局は、起動時フェムト無線基地局２８f-newがＩｕｂ＋インタフェースの接続を探すように（例えば、製造時、販売時などに）前もって構成されてもよい。例えば、フェムト無線基地局２８f-newのＲＢＳデータ処理システム５６は、インターネットプロトコル（ＩＰ）ネットワークへのインタフェース接続の場所を突き止めて、この接続をオープンするようにプログラムされてもよい。また、図２に示すように、フェムト無線基地局２８f-newのＲＢＳデータ処理システム５６またはＩｕｂ＋インタフェースユニット５０は、格納されたデフォルト無線ネットワーク制御局ノードのアドレスへアクセスできる。これに関連して、図２は、デフォルト無線ネットワーク制御局ノード（ＲＮＣ）のＩＰアドレス情報（例えば、ＤＮＳ名／ＦＱＤＮまたはＩＰアドレス）を格納するメモリまたはレジスタ９４を有するものとしてフェムト無線基地局２８f-newを描いている。図１Ａの例では、デフォルトＲＮＣメモリ９４は、第１の無線ネットワーク制御局ノード２６1のＩＰアドレス情報を格納する。一実施形の例では、デフォルトＲＮＣのアドレスは、デフォルトＲＮＣメモリ９４に前もって格納されてもよい。デフォルトＲＮＣメモリ９４は、不揮発性であることが好ましい。
【００４４】
別の実施例では、デフォルトＲＮＣメモリ９４は前もって格納したデフォルトＲＮＣのアドレスを有するのではなく、ＲＢＳデータ処理システム５６とＩｕｂ＋インタフェースユニット５０との内少なくともいずれかがデフォルトＲＮＣのアドレスをダウンロードするためにコンタクトしてもよいＩＰアドレス情報を格納してもよい。従って、どの実施形でも、フェムト無線基地局は、例えば、図１Ａに例示の無線ネットワーク制御局ノード２６1などの第１の無線ネットワーク制御局ノードに最初に接続するように構成される。
【００４５】
上記のように、起動およびスタートアップ時、フェムト無線基地局２８f-newは、無線ネットワークの中のその位置に関して本質的に気づいていない。それ故、フェムト無線基地局２８f-newがＩｕｂ＋インタフェースを通じてデフォルト無線ネットワーク制御局ノードに最初に接続する目的は、フェムト無線基地局２８f-newが、アクティブ無線ネットワーク制御局ノードとして使用するより好ましい無線ネットワーク制御局ノードにリダイレクト／再接続されることである。図１Ａに示す状況では、フェムト無線基地局２８f-newはマクロセルＣMの中に位置していて、マクロセルＣMは、無線基地局２６Mおよび第２の無線ネットワーク制御局ノード２６2からサービスを受けている。それ故、（フェムト無線基地局２８f-newはまだ知らされていない）無線アクセスネットワーク２４のトポロジから判断して、フェムト無線基地局２８f-newに対する好ましい無線ネットワーク制御ノードは、デフォルトの第１の無線ネットワーク制御局ノード２６1ではなくて、第２の無線ネットワーク制御局ノード２６2である。
【００４６】
無線アクセスネットワーク２４内のその位置を知らず、または自装置で突き止めることができないので、フェムト無線基地局２８f-newによってサービスを受けるユーザ機器ユニット３０は、位置表示情報を取得し、次いでその位置表示情報をそのデフォルト無線ネットワーク制御ノードに送信しなければならない。フェムト無線基地局２８f-newから外部取得した位置表示情報を受信時、デフォルト無線ネットワーク制御局ノード（例えば、無線ネットワーク制御局ノード２６1）は、フェムト無線基地局２８f-newのアクティブＲＮＣとしての使用に好ましい無線ネットワーク制御ノードを突き止めるためにＲＮＣ選択データベース４０に問い合わせ、次いでフェムト無線基地局２８f-newにその好ましい無線ネットワーク制御局ノードの識別情報およびアドレスを中継することができる。その好ましい無線ネットワーク制御ノードの識別情報およびアドレスを受信する時、フェムト無線基地局２８f-newは、Ｉｕｂ＋インタフェースを通じてその好ましい無線ネットワーク制御ノード（例えば、無線ネットワーク制御局ノード２６2）に接続することができる。
【００４７】
図１Ａは、フェムト無線基地局２８f-newを起動若しくはスタートアップ（最初の起動／スタートアップ若しくはフェムト無線基地局２８f-new移動後の起動／スタートアップ）し、Ｉｕｂ＋インタフェースを通じてそのデフォルト無線ネットワーク制御局ノード（例えば、第１の無線ネットワーク制御局ノード２６1）にコンタクトする時点を描いている。図１Ｂ〜図１Ｅは、無線アクセスネットワーク２４を動作する方法に関与する動作のそれ以降の順次的な段階を描いており、これによりフェムト無線基地局２８f-newはそのアクティブ無線ネットワーク制御ノードとして使用する好ましいＲＮＣにリダイレクトされる。
【００４８】
図１Ｂは、ユーザ機器ユニット（ＵＥ）３０がフェムト無線基地局２８f-newのカバレッジエリア、例えばフェムトセルＣf-newに入り、フェムト無線基地局２８f-newとの無線通信を確立する時点（図１Ａの起動段階後）を示している。ユーザ機器ユニット（ＵＥ）３０は、ユーザ機器ユニット（ＵＥ）３０の位置を推定するか、さもなければ決定し得るある種の位置表示情報を有している。ユーザ機器ユニット（ＵＥ）３０と無線通信を開始する時、フェムト無線基地局２８f-newは、内々に関与するようになり、ユーザ機器ユニット（ＵＥ）３０が所有する位置表示情報を知る。図１Ｂと図５は、ステップとラインのＳ−１Ｂで、ユーザ機器ユニット（ＵＥ）３０が所有する位置表示情報が、エアインタフェース３２を通じてフェムト無線基地局２８f-newによって受信されるところと、フェムト無線基地局２８f-newからＩｕｂ＋インタフェースを通じてそのデフォルト無線ネットワーク制御局ノード、例えば、第１の無線ネットワーク制御局ノード２６1に送信されるところの両方を描いている。いくつかの実施例では、報告ユニット６０などのＲＢＳデータ処理システム５６の一部は、ユーザ機器ユニット（ＵＥ）３０から受信した情報を調べ、その位置表示情報をフィルタで取り出すかさもなければこれを抽出し、Ｉｕｂ＋インタフェースを通じてデフォルト無線ネットワーク制御ノードへ送信するために位置表示情報の準備を担当することができる。好ましくは、位置表示情報は、ユーザ機器ユニット３０と第１の無線ネットワーク制御局ノード２６1との間で伝送される。
【００４９】
ユーザ機器ユニット（ＵＥ）３０が所有し、フェムト無線基地局２８f-newが取得する位置表示情報は、以下で説明するように、（例えば）ロケーションエリアアイデンティティ（ＬＡＩ）と、ルーティングエリアアイデンティティ（ＲＡＩ）と、セル検出情報と、測定報告との内、少なくともいずれかのようないくつかの種類、または種類の組み合わせでもよい。
【００５０】
図１Ｃは、図示のシナリオでは、デフォルト無線ネットワーク制御局ノード、例えば、第１の無線ネットワーク制御局ノード２６1が、フェムト無線基地局２８f-newが使用する正しいＲＮＣノードを確かめようとしてＲＮＣ選択データベース４０にコンタクトする動作の段階を描いている。Ｉｕｂ＋インタフェースを通じてフェムト無線基地局２８f-newから位置表示情報を受信した時、デフォルト無線ネットワーク制御局ノード２６1は、図１Ｃと図５のラインとステップのＳ−１Ｃで示すように、フェムト無線基地局ハンドラ８８を通して（および特にそのサーチャインタフェース９０を通して）、ＲＮＣ選択データベース４０と通信する。その通信は、デフォルト無線ネットワーク制御局ノード２６1からＲＮＣ選択データベース４０への質問メッセージと、ＲＮＣ選択データベース４０から無線ネットワーク制御局ノード２６1への応答メッセージの両方を含む。デフォルト無線ネットワーク制御局ノード２６1からの質問メッセージは位置表示情報を有し、この位置表示情報は、フェムト無線基地局２８f-newについての好ましいまたは選択されたＲＮＣの識別情報とアドレスとの内の少なくともいずれかを取得するために、図４を参照して理解されるやり方で、ＲＮＣ選択データベース４０により利用される。これに関連して、ＲＮＣ選択データベース４０は、位置表示情報を情報セットと見なし、位置表示情報セットを好ましい無線ネットワーク制御ノードのアイデンティティ／アドレスと／にマッチングまたはマッピングする。この好ましい無線ネットワーク制御ノードは、フェムト無線基地局２８f-newについての選択無線ネットワーク制御局ノードになる。ＲＮＣ選択データベース４０により選択された無線ネットワーク制御ノードのアイデンティティとアドレスとの内の少なくともいずれかは、その後ＲＮＣ選択データベース４０によりデフォルト無線ネットワーク制御局ノード、例えば、第１の無線ネットワーク制御局ノードＲＮＣ２６1に、図１Ｃと図５の応答メッセージＳ−１Ｃで送信される。
【００５１】
図１Ａ〜図１Ｅに示す特定のシナリオでは、フェムト無線基地局２８f-newについての好ましいまたは選択された無線ネットワーク制御局ノードは、前述のように第２の無線ネットワーク制御局ノード２６2である。
【００５２】
図１Ｃに示すＲＮＣ選択データベース４０からの応答メッセージは、デフォルト無線ネットワーク制御局ノードに、フェムト無線基地局２８f-newの好ましい無線ネットワーク制御局ノードのアイデンティティ／アドレスを通知する。例えば、フェムト無線基地局ハンドラ８８などのユニットは、好ましい無線ネットワーク制御局ノードのアイデンティティ／アドレスを受信する。その後、図１Ｄに示す動作段階で、フェムト無線基地局２８f-newの好ましい無線ネットワーク制御局ノードのアイデンティティ／アドレスは、Ｉｕｂ＋インタフェースを通じてデフォルト無線ネットワーク制御局ノードにより無線基地局（ＢＳ）２８に（図１Ｄと図５のラインとステップのＳ−１Ｄで描かれているように）通信される。このようにして、フェムト無線基地局は、アクティブ無線ネットワーク制御局ノードとして、デフォルト無線ネットワーク制御局ノードでなくて、ＲＮＣ選択データベース４０を参照して選択された第２の無線ネットワーク制御局ノードを利用するように指示される。フェムト無線基地局２８f-newの好ましい無線ネットワーク制御局ノードのアイデンティティ／アドレスは、Ｉｕｂ＋インタフェースユニット５０によって受信され、図２に示すようにレジスタまたはメモリ９６に格納される。従って、レジスタまたはメモリ９６は、リダイレクトＲＮＣアドレスメモリ９６としても知られ、Ｉｕｂ＋インタフェースユニット５０とＲＢＳデータ処理システム５６とからアクセス可能であることが好ましい。
【００５３】
図１Ｅは、その好ましい無線ネットワーク制御局ノードのアイデンティティまたはアドレスを今では知っているフェムト無線基地局２８f-newが、その好ましい無線ネットワーク制御局ノードに再接続しようとする更なる動作段階を示している。言い換えれば、図１Ａ〜図１Ｅのシナリオでは、フェムト無線基地局２８f-newは第２の無線ネットワーク制御局ノード２６2に再接続しようと試みる。その好ましい無線ネットワーク制御ノードとのコンタクトは、今ではリダイレクトＲＮＣアドレスメモリ９６に格納された識別情報／アドレス情報を使用して達成される。好ましい無線ネットワーク制御ノードとのコンタクト、例えば、第２の無線ネットワーク制御局ノード２６2とのコンタクトは、図１Ｅと図５のラインとステップのＳ−１Ｅによって描かれている。
【００５４】
フェムト無線基地局２８f-newが、そのデフォルト無線ネットワーク制御局からリダイレクトされる選択無線ネットワーク制御局のアドレスを受信する場合、そのようなアドレスは（リダイレクトＲＮＣアドレスメモリ９６に格納され）、フェムト無線基地局２８f-newのアクティブ無線ネットワーク制御局として使用される新しい無線ネットワーク制御へのインターネットプロトコル接続と連動して利用されてもよい。フェムト無線基地局２８f-newの選択無線ネットワーク制御局のアドレス以外の識別情報が取得される別の場合は、フェムト無線基地局２８f-newは、選択ノード識別情報を有する別のＩＰアドレスとコンタクトをとり、その別のＩＰアドレスにあるサーバなどからフェムト無線基地局２８f-newがダイレクトされる無線ネットワーク制御局にコンタクトするために使用するアドレスを取得してもよい。
【００５５】
その好ましいまたは選択された無線ネットワーク制御ノードと接続をする時、フェムト無線基地局２８f-newは、その基地局自分自身によりサービスを受ける移動局（例えば、ユーザ機器ユニット）の接続処理の性能で、現在の好ましい無線ネットワーク制御ノードを通して通信することができる。
【００５６】
その後、フェムト無線基地局２８f-newが無線アクセスネットワーク２４の別の場所に移されたなら、図１Ａ〜図１Ｅに示されたようなステップと段階が、再び実行されるであろう。そのような場合、フェムト無線基地局２８f-newは、（移動後の起動時）再びそのデフォルト無線ネットワーク制御ノード（例えば、第１の無線ネットワーク制御局ノード２６1）に接続するだろう。代わりに、移動後または移動中のフェムト無線基地局２８f-newは、デフォルトＲＮＣと同様のやり方でサービスを行うことができる（およびフェムト無線基地局２８f-newの移動を反映する新しい位置表示情報の取得時に、フェムト無線基地局２８f-newが移動したことを感知する）以前のＲＮＣとコンタクトを取り続けることができてもよい。その後（例えば、ユーザ機器ユニット（ＵＥ）から位置表示情報の取得時）、フェムト無線基地局２８f-newは、例えば、ＲＮＣ選択データベース４０によって選択された好ましい或いは“正しい”無線ネットワーク制御ノードにリダイレクトされてもよい。
【００５７】
一実施形の例では、ユーザ機器ユニットから取得され、フェムト無線基地局により第１の無線ネットワーク制御局に提供される位置表示情報は、ユーザ機器ユニット（ＵＥ）３０が取得したエリアアイデンティティ情報である。例えば、そのエリアアイデンティティ情報は、（１）ユーザ機器ユニットがフェムト無線基地局のセルに入り、ユーザ機器ユニットがロケーションエリア更新を実行するとき、ユーザ機器ユニットから取得されるロケーションエリアアイデンティティ（ＬＡＩ）と、（２）ユーザ機器ユニットがフェムト無線基地局のセルに入り、ユーザ機器ユニットがルーティングエリア更新を実行するとき、ユーザ機器ユニットから取得されるルーティングエリアアイデンティティ（ＬＡＩ）との内の１つでよい。
【００５８】
図６は、別の態様例に従うノードリダイレクション動作を示している。図６のイベントまたはステップの例は、図５のイベントまたはステップの例と同様の番号が付けられたものを含むが、追加のイベントまたはステップＳ−６も示している。図６の態様では、フェムト無線基地局２８f-newがデフォルト無線ネットワーク制御ノードに接続後、イベントまたはステップＳ−６として、第１の（デフォルト）無線ネットワーク制御局ノードは、ユーザ機器ユニット３０が現在の周波数（フェムト無線基地局とマクロ無線基地局の両方によって使用されている現在の周波数）でセルを検出できるように、ユーザ機器ユニット３０を構成する。デフォルト無線ネットワーク制御局（ＲＮＣ）（即ち、無線ネットワーク制御局ノード２６1）は、無線ネットワーク制御局（ＲＮＣ）２６1がステップＳ−６でフェムトＲＢＳ２８f-newの無線部を自動的に構成したので、フェムト無線基地局がどの周波数を使用しているかを知っている。デフォルト無線ネットワーク制御局（ＲＮＣ）２６1は、特定の無線基地局の位置にマクロセルもあるか本当には確認できないが、その意図は、もしあれば、ユーザ機器ユニットに同じ周波数で検出したマクロセルとフェムトセルを無線ネットワーク制御局（ＲＮＣ）２６1に報告させることである。次いで、ユーザ機器ユニット３０は、フェムト無線基地局２８f-newも動作している周波数でセルを検出する。次いで、ステップＳ−１Ｂ（６）で、検出されたセルのセル識別情報が、フェムト無線基地局２８fと通信中のユーザ機器ユニット３０から取得された位置表示情報として、デフォルト無線ネットワーク制御局ノードに提供される。図６での態様のイベントの残りのステップは、前に検討した図５の態様の対応する番号の付いたステップと本質的に同様である。
【００５９】
現在の仕様（３ＧＰＰ  ＴＳ  ２５．３３１  Ｖ６．１０．０）の規定によると、セル識別情報は、検出された未知のセル（即ち、検出されたセルのセット）に関するスクラブリングコードと、Ｅｃ／Ｎｏ（チップごとの所望の受信電力と帯域内の受信電力密度との比）と受信信号コード電力（ＲＳＣＰ）の測定値との内の少なくともいずれかとから構成される。スクランブリングコードは普通、ＵＴＲＡＮネットワークでも再使用されるので（このコードはネットワークの別の部分でも再使用されてもよいので）、特定のスクランブリングコードを有する１つのセルの検出に基づいて場所を見つけ出すことは恐らく可能ではない。しかし、再使用要因にもよるが、検出されたセルは、他の方法／態様（以下に説明する図８の態様など）と組み合わせて使用されてもよい。さらに、セル計画データベースまたはツールが、次いで他のメカニズムでチェック（例えば、周波数の異なるセルの存在のチェック）される必要があるだろう他の隣接セルの可能性のあるリストを提供してもよい。
【００６０】
図６の態様のデフォルト無線ネットワーク制御がフェムト無線基地局２８f-newを通して接続するユーザ機器ユニットにデフォルトまたは指定された周波数をダウンロードするという事実からすれば、図７は、デフォルト無線ネットワーク制御局ノード（例えば、デフォルト無線ネットワーク制御局のフェムト無線基地局ハンドラ８８）がフェムト無線基地局にダウンロードするデフォルト周波数を格納するメモリまたはレジスタ１００など（好ましくは不揮発性のもの）を備えてもよいことを示している。そのほかの点では、図６の実施態様の例のデフォルト無線ネットワーク制御は、前述のものと同様である。
【００６１】
図８は、ノードリダイレクション動作のまた別の実施態様の例を示している。図８の種々のステップの例は、図６と図５と対応する番号の付いた前に検討したステップに関しては理解されている。図８の実施態様の例では、デフォルト無線ネットワーク制御局ノードは、ユーザ機器ユニット３０が、対応する異なる周波数で動作しているセルの内、異なるセルを検出できるように、ユーザ機器ユニット３０を構成する。この点に関して、図８のステップまたはイベントＳ−８（１）に反映されるように、接続モードのユーザ機器ユニット（ＵＥ）は、これらのセルをモニタセット（Monitored Set）への追加を念頭において、他の周波数が異なるセルまたはＲＡＴが異なる（即ち、ＧＳＭ）セルについて測定を行うように命じられてもよい。図８は、ユーザ機器ユニット（ＵＥ）によるステップＳ−８（１）で命令された周波数の測定値の報告を（ステップＳ−８（２）で）示している。図８は、デフォルト無線ネットワーク制御局２６1によるモニタセットへの１つ以上の測定周波数のセルの追加をステップＳ−８（３）として、ユーザ機器ユニット（ＵＥ）によるモニタセットのセルの測定値の返信をステップＳ−８（４）としてさらに示している。
【００６２】
そのような測定の命令は（図８のステップＳ−８（１）〜Ｓ−８（４）に反映されているように）、試行錯誤のアプローチまたはロジックでもよい。言い換えれば、ステップＳ−８（１）〜Ｓ−８（４）の１つ以上は、デフォルト無線ネットワーク制御局のセル選択ロジックに従って、反復的ベースで繰り返されてもよい。この点に関して、図８の実施態様の例に関して、図９は、ステップＳ−８（１）〜Ｓ−８（４）と関連してダウンロードされるセル／周波数を選択または決定するセル選択ロジック機能１０２を（例えば、そのフェムト無線基地局ハンドラ８８の中に）有するデフォルト無線ネットワーク制御局ノードの例を示している。ほかの点に関しては、図６の実施態様の例のデフォルト無線ネットワーク制御は、前述のそれと同様である。
【００６３】
例えば、ＬＡＩとＲＡＩと同じ周波数で報告された検出セットとの内の少なくともいずれかに基づく、図８の態様の変形例に関して前述した試行錯誤法のアプローチ／ロジックの一例として、デフォルト無線ネットワーク制御局は、ユーザ機器ユニットがこれらのセルを聴取することが可能かどうかを検証するために、マクロセルを加えてもよい。検出した場合、ユーザ機器ユニットが直ちにそのセルを報告するように、測定報告は構成されるべきである。ユーザ機器ユニット（ＵＥ）が何も報告しない場合、デフォルト無線ネットワーク制御局は、フェムトＲＢＳの位置について十分な情報を得られるまで、モニタセットを変更し別のセルを加えることができる。それから、ユーザ機器ユニット３０は、対応する異なる周波数でセルを検出することができる。検出セルのセル識別情報は、フェムト無線基地局２８fと通信中のユーザ機器ユニット３０から取得した位置表示情報として、デフォルト無線ネットワーク制御局ノードに提供される。
【００６４】
上記の図６の実施態様の例では、同じ周波数で検出された未知のセルと共にＬＡＩ／ＲＡＩ情報があれば、十分にマクロセルを識別できよう。これは、スクランブリングコードが１つのＬＡＩ／ＲＡＩ内で再使用されないことに基づくものである。しかし、スクランブリングコードが１つのＬＡ／ＲＡで再使用されることになったなら、フェムト無線基地局２８f-newの最善の位置を突き止めるためには、追加情報が必要であろう。このように追加情報が必要とされる場合、図６の態様が続くか、或いは、図８の態様のような別の態様との関連で用いられる、少なくとも図６のステップが続く。例えば、図８の態様は、例えば、上記の周波数の異なるセルの測定を採用し、それらの周波数のセルは前のステップで取り出された情報に基づいてモニタセットに加えられる。
【００６５】
従って、１つ以上のノードリダイレクション動作のステップは、並行して利用されてもよいし、順々に利用されてもよい。言い換えれば、デフォルトまたは第１の無線ネットワーク制御局ノードは、ユーザ機器ユニットを第１のロケーション計画に従って動作するように指示してもよく、そして、第１のロケーション計画がフェムト無線基地局の位置を突き止めるのに十分な情報を供給できない場合、第１の無線ネットワーク制御局ノードは、ユーザ機器ユニットを第２のロケーション計画に従って動作するように指示してもよい。
【００６６】
態様の組み合わせにより、図１０に示す実施態様の例などの新しい態様がもたらされる結果となる。図１０の態様は、図６の態様のいくつかのステップと図８の態様のいくつかのステップとを組み合わせている。この点に関して、図１０の態様は、図６の態様のステップのいくつかを実施することにより開始する。例えば、ユーザ機器ユニット３０がデフォルトまたは指定された周波数でセルを検出できるように、第１のロケーション計画に従って、第１の（デフォルト）無線ネットワーク制御局ノードが、ユーザ機器ユニット３０を構成するという、例えばステップＳ−６と、フェムト無線基地局２８fと通信中のユーザ機器ユニット３０から取得した位置表示情報として、検出セルのセル識別情報をデフォルト無線ネットワーク制御局ノードに提供するというステップＳ−１Ｂ（６）とを実施することにより開始するのである。図１０の態様では、ステップＳ−１Ｂ（６）で提供されたセル識別情報が、（例えば）スクランブリングコードが１つのＬＡ／ＲＡで再使用されるなどのいくつもの理由のために（ステップＳ−１０に反映されるように）不十分なことがある。そのようなものとして、そして、ステップＳ−１０によりさらに反映されているように、デフォルト無線ネットワーク制御局ノードはモードを切り替える、例えば、図６の態様から図８の態様へ切り替え、それにより第２のロケーション計画になる。それに応じて、図８の態様のステップが、ステップＳ−１０の判断と切り替え後に示される。判定と切り替えを考慮に入れて、図１１は、図１０の実施態様の例に対するデフォルト無線ネットワーク制御の構成例を示している。その例では、メモリまたはレジスタ１００など（この中にフェムト無線基地局にダウンロードされるデフォルト周波数が格納される）と、ステップＳ−８（１）〜Ｓ−８（４）と関連してダウンロードされるセル／周波数を選択または決定するセル選択ロジック機能１０２との両方を有する。図１０の実施例のフェムト無線基地局ハンドラ８８は、第１の試行した態様（例えば、図６の態様）に従ったユーザ機器ユニット（ＵＥ）から集めた情報が不十分であるとき、第２の態様（例えば、図８の態様）への切り替えを決定するロジックを有している。
【００６７】
従って、この技術の一つの側面として、フェムト無線基地局２８f-newは無線アクセスネットワークのデフォルト無線ネットワーク制御局ノードに接続し、その後（フェムト無線基地局２８f-newと通信中の）ユーザ機器ユニット３０から取得した位置表示情報をデフォルト無線ネットワーク制御局ノードに提供するように構成される。フェムト無線基地局２８f-newは、その後、位置表示情報に基づいてリダイレクション情報を受信する時、フェムト無線基地局２８f-newに対するアクティブ無線ネットワーク制御局ノードとして、デフォルト無線ネットワーク制御局ノードを第２の無線ネットワーク制御局ノードで置換するようにさらに構成される。
【００６８】
この技術の別の態様として、デフォルトネットワーク制御局ノードは、フェムト無線基地局がそのアクティブ無線ネットワーク制御局ノードとして他のどの無線ネットワーク制御局ノードを使用すべきかを決定するために、フェムト無線基地局と通信中のユーザ機器ユニットから取得した位置表示情報を使用するように構成される。
【００６９】
従って、フェムト無線基地局２８f-newは、最初にネットワークのデフォルトＲＮＣに接続する。このデフォルトＲＮＣのアドレスまたはアイデンティティは、フェムト無線基地局２８f-newに設定される。ユーザ機器ユニット（ＵＥ）がフェムト無線基地局２８f-newにコンタクトするとき、ユーザ機器ユニット（ＵＥ）は、周囲のＷＣＤＭＡカバレッジについての情報（例えば、位置表示情報）をデフォルトＲＮＣに提供する。デフォルトＲＮＣは、その受信情報を使用し、フェムト無線基地局２８f-newを別のＲＮＣである“正しい”または“選択した”または“好ましい”ＲＮＣにリダイレクトする。
【００７０】
正しいＲＮＣは後で、ＵＥから受信される更なる情報を観察することで、フェムトＲＢＳが別の位置に移動したかどうかをチェックすることもできる。
【００７１】
フェムト無線基地局２８f-newが接続されるべき正しいＲＮＣを見つけ出すために、ＲＮＣが使用できる情報と手順のタイプの例について、以下に示す。
【００７２】
デフォルトＲＮＣは、ユニークなロケーションエリアアイデンティティ（ＬＡＩ）を使用して構成されてもよい。これは、ＵＥがフェムト無線基地局２８f-newのフェムトセルに入るとき、ユーザ機器ユニット（ＵＥ）がロケーションエリア更新を開始するトリガを与えることを意味する。それから、デフォルトＲＮＣは‘レイヤ侵害’を実行し、ユーザ機器ユニット（ＵＥ）が首尾よく登録した最後のＬＡＩを見つけるために移動管理メッセージのロケーションエリア更新をチェックしてもよい。あるシナリオには、これがフェムト無線基地局２８f-newの位置のかなりよい推定を与えることができるものがある。しかし、このＬＡＩ方法は、フェムト無線基地局２８f-newから遠くはなれた位置で電源が切られ、それからフェムト無線基地局２８f-newのフェムトセルで電源が入れられた場合には、うまく働かない。この方法は、同じＬＡＩがユーザ機器ユニット（ＵＥ）によって一度以上報告されていることをチェックすることにより改善できよう。別の改善は、位置更新の種類もチェックすることであろう。それが“ＩＭＳＩアタッチ”を示す場合、ユーザ機器ユニット（ＵＥ）は電源が入り、ＬＡＩは頼るものがない。この種類が“通常の位置更新”を示す場合、ＬＡＩはより信頼できる。
【００７３】
同じ周波数がマクロセルとフェムトセルの両方で使用されるなら、ＲＮＣは、ユーザ機器ユニット（ＵＥ）を（測定イベント１ｄを使用して）同じ周波数で未知のセルを検出する測定のために構成してもよい。このようにして、ＵＥは、周囲のＵＴＲＡＮセルが何であるかを示すことができ、ＲＮＣはＵＥを正しいＲＮＣにリダイレクトできるだろう。
【００７４】
もしマクロセルとフェムトセルで同じ周波数が使用されないなら、ＲＮＣはユーザ機器ユニット（ＵＥ）を他の周波数でセルを検出するために周波数の異なる測定のために構成してもよい。これは、ユーザ機器ユニット（ＵＥ）が異なるセルを聴取することができるかどうかをＲＮＣがチェックするように、試行錯誤のメカニズムに基づいてもよい。もし、セルの１セットがユーザ機器ユニット（ＵＥ）からの測定結果を提供しないなら、ＲＮＣはセルセットを変更し再び試みることが必要だろう。このようにして、ＵＥは周囲のＵＴＲＡＮセルが何であるかを示すことができ、（デフォルト）ＲＮＣはＵＥを正しいＲＮＣにリダイレクトできるだろう。
【００７５】
従って、この技術の利点として、フェムト無線基地局２８f-newなどのようなフェムトＲＢＳは、エンドユーザ（例えば、フェムト運用者）によって移動されてもよく、それでもやはり正しいＲＮＣに接続する。
【００７６】
前述のように、このような原理／方法は、他の無線技術にも適用されてもよい。この技術は、前述の便宜上記述されたシステムおよびシナリオに特に関連があるが、他の事例および他のネットワークにも適用できよう。種々の実施例を示して詳細に説明したが、請求の範囲はいずれの特定の実施例や例によって限定されるものではない。以上の説明のいずれについても、いずれかの特定の要素、ステップ、範囲、または機能が不可欠であることを示唆するものとは読まれるべきではない。本発明は開示された実施例に限定されるものではなく、むしろそれとは反対に、種々の改良および等価な構成を網羅することを意図するものである。
【図面の簡単な説明】
【００７７】
【図１Ａ】、
【図１Ｂ】、
【図１Ｃ】、
【図１Ｄ】、
【図１Ｅ】無線アクセスネットワークを含み、ノードリダイレクション動作の異なる段階を示す通信システムの実施例の概略図である。
【図２】フェムト無線基地局の実施例の概略図である。
【図３】第１の実施態様の例に従う無線ネットワーク制御（ＲＮＣ）ノードの概略図である。
【図４】ＲＮＣ選択データベースの構造例の概略図である。
【図５】第１の態様例に従うノードリダイレクション動作の異なる段階の例を示す概略図である。
【図６】第２の実施態様の例に従うノードリダイレクション動作の異なる段階の例を示す概略図である。
【図７】第２の実施態様の例に従う無線ネットワーク制御（ＲＮＣ）ノードの概略図である。
【図８】第３の実施態様の例に従うノードリダイレクション動作の異なる段階の例を示す概略図である。
【図９】第３の実施態様の例に従う無線ネットワーク制御（ＲＮＣ）ノードの概略図である。
【図１０】第４の実施態様の例に従うノードリダイレクション動作の異なる段階の例を示す概略図である。
【図１１】第４の実施態様の例に従う無線ネットワーク制御（ＲＮＣ）ノードの概略図である。
【図１２】２つの異なるバックホール案を示す図である。
【図１Ａ】
2009510970.tif 000003
【図１Ｂ】
2009510970.tif 000004
【図１Ｃ】
2009510970.tif 000005
【図１Ｄ】
2009510970.tif 000006
【図１Ｅ】
2009510970.tif 000007
【図２】
2009510970.tif 000008
【図３】
2009510970.tif 000009
【図４】
2009510970.tif 000010
【図５】
2009510970.tif 000011
【図６】
2009510970.tif 000012
【図７】
2009510970.tif 000013
【図８】
2009510970.tif 000014
【図９】
2009510970.tif 000015
【図１０】
2009510970.tif 000016
【図１１】
2009510970.tif 000017
【図１２】
2009510970.tif 000018
【国際調査報告】
2009510970.tif 000019
2009510970.tif 000020
2009510970.tif 000021